(57)【特許請求の範囲】
【請求項１】
内部に加熱手段を有した加熱ローラと、該加熱ローラに圧接する加圧ローラとを有し、これら加熱ローラ,加圧ローラ間にトナー画像が転写された転写材を通過させ、前記トナー画像を前記転写材に熱定着する定着装置であって、
前記加熱ローラ内に設けられ、最大サイズの転写材の通過領域内で、所定サイズの転写材の通過領域外の領域を主に加熱する第１の加熱手段と、
前記加熱ローラに設けられ、所定サイズの転写材の通過領域を主に加熱する第２の加熱手段と、
前記加熱ローラの最大サイズの転写材の通過領域内で所定サイズの転写材の通過領域外の領域の温度を検出する第１の温度検知手段と、
前記加熱ローラの所定サイズの転写材の通過領域の温度を検出する第２の温度検知手段と、
ウォームアップ直後に定着を行う場合、前記第１および第２の加熱手段の設定温度を通常より高く設定し、前記転写材の定着枚数に応じて、前記第１の加熱手段の設定温度と前記第２の加熱手段の設定温度とを独立して異なるタイミングで変える制御部と、
を設けたことを特徴とする定着装置。
【請求項２】
前記制御部は、前記転写材のサイズに応じて前記第１の加熱手段と前記第２の加熱手段との設定温度を下げるタイミングを変えることを特徴とする請求項１記載の定着装置。
【発明の詳細な説明】
【０００１】
【発明の属する技術分野】
本発明は、内部に加熱手段を有した加熱ローラと、該加熱ローラに圧接する加圧ローラとを有し、これら加熱ローラ,加圧ローラ間にトナー画像が転写された転写材を通過させ、前記トナー画像を前記転写材に熱定着する定着装置に関する。
【０００２】
【従来の技術】
一般に、定着装置においては、加熱ローラ内に加熱手段を設け、加熱ローラの表面の温度を検知して加熱手段を駆動することにより温度制御を行っている。
【０００３】
一方、加圧ローラ内には加熱手段が設けられていないので、装置が冷えた状態からウォームアップを行った直後に定着を開始すると、加圧ローラが十分に暖まっていないので、定着不良が発生する恐れがある。
【０００４】
よって、ウォームアップ直後に定着を行う場合には、通常の設定温度より高く設定された温度で加熱手段の温度制御を行い、その後、通常の設定温度に下げるようにしている。
【０００５】
【発明が解決しようとする課題】
しかし、通常の設定温度より高く設定された温度を下げる場合、温度検知手段が加熱ローラの温度を検知するタイミングにより、加熱ローラの温度が設定温度より下がりすぎる場合がある。
【０００６】
また、温度を下げている最中に連続定着を行うと、加熱ローラの温度が設定温度より下がりすぎる問題点がある。
この時、加圧ローラ内には加熱源がないので回復するまでに時間がかかる。
【０００７】
さらに、従来では、連続定着を行う場合、転写材のサイズにより定着装置へ供給する間隔が異なる。
すなわち、定着装置に対する供給方向の長さが短い転写材ほど定着装置への供給間隔が短く、転写材に奪われる単位時間あたりの熱量が多くなる。
【０００８】
よって、温度を下げている最中に連続定着を行った場合、転写材のサイズによって、加熱ローラの温度が下がり方が変わり、設定温度まで復帰するまでの時間が変わる問題点がある。
【０００９】
このように、設定温度より下がった状態で、定着を行うと、定着不良が発生する。
本発明は、上記問題点に鑑みてなされたもので、その課題は、ウォームアップ後の加熱ローラ、加圧ローラの温度低下による定着不良が発生しない定着装置を提供することにある。
【００１０】
【課題を解決するための手段】
上記課題を解決する請求項１記載の発明は、内部に加熱手段を有した加熱ローラと、該加熱ローラに圧接する加圧ローラとを有し、これら加熱ローラ,加圧ローラ間にトナー画像が転写された転写材を通過させ、前記トナー画像を前記転写材に熱定着する定着装置であって、前記加熱ローラ内に設けられ、最大サイズの転写材の通過領域内で、所定サイズの転写材の通過領域外の領域を主に加熱する第１の加熱手段と、前記加熱ローラに設けられ、所定サイズの転写材の通過領域を主に加熱する第２の加熱手段と、前記加熱ローラの最大サイズの転写材の通過領域内で所定サイズの転写材の通過領域外の領域の温度を検出する第１の温度検知手段と、前記加熱ローラの所定サイズの転写材の通過領域の温度を検出する第２の温度検知手段と、ウォームアップ直後に定着を行う場合、前記第１および第２の加熱手段の設定温度を通常より高く設定し、前記転写材の定着枚数に応じて、前記第１の加熱手段の設定温度と前記第２の加熱手段の設定温度とを独立して異なるタイミングで変える制御部と、を設けたことを特徴とする定着装置である。
【００１１】
制御部は、ウォームアップ直後に定着を行う場合、前記第１および第２の加熱手段の設定温度を通常より高く設定し、前記転写材の定着枚数に応じて、前記第１の加熱手段の設定温度と前記第２の加熱手段の設定温度とを独立して異なるタイミングで変えることにより、加熱ローラが設定温度より下がりすぎることがなくなり、定着不良が生じない。
【００１２】
請求項２記載の発明は、請求項１記載の発明の前記制御部は、前記転写材のサイズに応じて前記第１の加熱手段と前記第２の加熱手段との設定温度を下げるタイミングを変えることを特徴とする定着装置である。
【００１３】
連続定着を行う場合、転写材のサイズにより定着装置へ供給する間隔が異なる。
すなわち、定着装置に対する供給方向の長さが短い転写材ほど定着装置への供給間隔が短く、転写材に奪われる単位時間あたりの熱量が多くなる。
【００１４】
定着枚数に加えて、転写材のサイズに応じて、前記第１の加熱手段と前記第２の加熱手段との設定温度を下げるタイミングを変えることにより、請求項１記載の発明もさらに加熱ローラが設定温度より下がりすぎることがなくなり、定着不良が生じない。
【００１５】
【発明の実施の形態】
次に図面を用いて本発明の実施の形態例を説明する。
(全体構成)
最初に、図２を用いて、本実施の形態例の定着装置が設けられたコピー装置の全体構成を説明する。
【００１６】
図において、画像形成装置１は、自動原稿搬送装置(通称ADF)Aと、自動原稿搬送装置Aにより搬送される原稿の画像を読み取るための原稿画像読取部Bと、読み取った原稿画像を処理する画像制御部Cと、画像処理後のデータに従って、感光ドラムからなる像担持体１０上に書込みを行なう書込みユニット１２を含む書込み部Dと、像担持体１０及びその周囲に帯電電極１４,磁気ブラシ型現像装置からなる現像手段１６,転写電極１８,分離電極２０,クリーニング手段２１等の画像形成手段を含む画像形成部Eと、転写材(以下、記録紙という)Pを収容するトレイ等の複数の用紙収容手段(以下、給紙トレイ又はトレイという)２２,２４のための収納部F等を有している。
【００１７】
自動原稿搬送装置Aは、原稿載置台26と、ローラR1を含むローラ群及び原稿の移動通路を適宜切り替えるための切替手段を含む原稿搬送処理部２８を主要素とする。
【００１８】
原稿画像読取部Bは、原稿ガラスGの下にあり、光路長を保って往復移動できる二つのミラーユニット３０,３１、固定の結像レンズ(以下、レンズという)３３、ライン状の撮像素子(以下、CCDという)３５等からなり、書込み部Dはレーザ光源４０、ポリゴンミラー(偏光器)４２等からなる。
自動原稿搬送装置Aは、従来の自動原稿搬送装置と構成上の相違はあるもの原理はそのものは公知であり、又、原稿画像読取部B、書込み部D、画像処理手段(像担持体１０上にトナー画像を形成し、かつ、シート上にトナー画像を転写させる手段)を備えた画像形成装置及び画像形成プロセスはよく知られているので、その説明は簡略に行なう。
【００１９】
尚、転写電極１８の手前側に示すR10はレジストローラであり、分離電極の下流側に示すHは定着装置(詳細は後述する)であり、加熱ローラ９１とこの加熱ローラ９１に圧接する加圧ローラ９２とを備えており、加熱ローラ９１と、加圧ローラ９２との間にトナー画像が転写された記録紙Pが定着することにより、トナー画像が記録紙P上に熱定着される。
【００２０】
上記構成において、像担持体１０上にトナー画像を形成し、シート上の転写させた後、排紙トレイに排紙するプロセスは、以下のとおりである。
尚、本明細書では、転写電極がある転写領域を画像記録部という場合がある。
【００２１】
原稿載置台２６上に載置される原稿(図示せず)の一枚が原稿搬送処理部２８中で搬送され、ローラR1の下を通過中に、露光手段Lによるスリット露光が行なわれる。
【００２２】
原稿からの反射光は、固定位置にあるミラーユニット３０,３１及びレンズ３３を経て、CCD上に結合され、読み取られる。
原稿画像読取部Bで読み取られた画像情報は、画像処理手段により処理され、符号化されて画像制御基板C上にあるメモリに格納される。
【００２３】
画像データは、画像形成に応じて呼び出され、当該画像データに従って書込み部Dにおけるレーザ光源４０が駆動され、像担持体１０上に露光が行なわれる。
この露光に先立ち、矢印方向(反時計方向)に回転する像担持体１０は、帯電電極１４のコロナ放電により所定の表面電位が付与されているが、露光により露光部の電位が露光量に応じて減じ、結果として、画像データに応じた静電潜像が像担持体１０上に形成される。
【００２４】
静電潜像は、現像手段１６により反転現像され、可視像(トナー像)とされる。
一方、像担持体１０上のトナー像の先端部が転写領域に到達する前に、例えば、給紙トレイ２２内の一枚の記録紙Pが給紙搬送されて、レジストローラR10に到達し、先端規制されている。
【００２５】
記録紙Pはトナー像、即ち、像担持体１０上の画像領域と重畳するように、同期をとって回転を開始するレジストローラR10により転写領域に向けて搬送される。
【００２６】
転写領域において、像担持体１０上のトナー像は、転写電極の付勢により記録紙P上に転写されて、次いで、記録紙Pは分離電極２０の付勢により像担持体１０から分離される。
【００２７】
その後、定着装置Hの加熱,加圧により、トナー像を形成するトナー粉末は記録紙P上に溶融定着され、記録紙Pは排紙通路７８及び排紙ローラ７９を介して排紙トレイT上に排紙される。
【００２８】
(定着装置)
定着装置Hの構成を図３及び図４を用いて詳細に説明する。図３は定着装置Hの側面図、図４は図３のX方向矢視図である。
【００２９】
加熱ローラ９１において、１９１は両端面が開放された円筒状の芯金(ローラ基体)である。
この芯金１９１の外周面には、離型性層１９４が形成されている。
【００３０】
本実施の形態例では、芯金１９１の材質はアルミニウム、鉄のうちのいずれか、離型性層１９４の材質としてはPFA(テトラフルオロエチレン/パーフルオロアルキルビニルエーテル共重合体),四フッ化エチレン等の離型性の良い樹脂とした。
【００３１】
更に、芯金１９１の肉厚を2.0mm以下、離型性層１９４の膜厚を約20μmとした。
加熱ローラ９１の内部には、所定サイズの記録紙Pの通過領域内で、所定サイズの記録紙Pの通過領域外の領域(L1)を主に加熱する第１の加熱手段としての第１のハロゲンヒータランプ２１０と、所定サイズの記録紙Pの通過領域(L2)を主に加熱する第２の加熱手段としての第２のハロゲンヒータランプ２２０とが設けられている。
【００３２】
加圧ローラ９２は、発泡シリコンゴムの円周面にPFAチューブをかぶせた構造であり、表面硬度(アスカーC硬度)を35〜75とした。
そして、加圧ローラ９２はスプリング９０の付勢力でもって、加熱ローラ９１を総荷重5〜25kgfで押圧し、加圧ローラ９２と、加熱ローラ９１との間のニップ圧を0.2〜2.0kgf/平方cm、ニップ通過時間を20〜40msecとした。
【００３３】
本実施の形態例の定着装置Hには、図４に示すように、二つの温度検知手段３３０,３４０が設けられている。一つは、領域L1の加熱ローラ９１の温度を検知する第１の温度検知手段３３０と、領域L2の加熱ローラ９１の温度を検知する第２の温度検知手段３４０である。尚、本実施の形態例では、第１および第２の温度検知手段として、サーミスタを用いた。
【００３４】
３５０は領域L2の端部を冷却する冷却手段としてのファンである。
クリーニング機構１００は、芳香族ポリアミドの不織布製のウエブ１０１が巻かれた元巻きローラ１０３と、ウエブ１０１を巻き取る巻き取りローラ１０５と、ウエブ１０１を加熱ローラ９１に押し付けるウエブバックアップローラ１０７とからなっている。
【００３５】
この巻き取りローラ１０５は、所定の枚数の記録紙Pへの画像形成を行うと、所定量回転駆動され、ウエブ１０１の未使用部分が加熱ローラ９１に押接するようになっている。
【００３６】
次に、図１を用いて、本実施の形態例の定着装置の電気的構成を説明する。図１は図３に示す定着装置の電気的構成を説明するブロック図である。
図において、３１０は第１のハロゲンヒータランプ２１０駆動する回路からなる第１の加熱駆動手段、３２０はハロゲンヒータランプ２２０を駆動する回路からなる第２の駆動加熱手段である。
【００３７】
また、５０３は図１３に示すような、ウォームアップ直後に定着する場合の定着枚数と第１のハロゲンヒータランプ２１０、第２のハロゲンヒータランプ２２０の設定温度との関係が記録されたテーブルである。
【００３８】
５００は、第１の温度検知手段３３０からの温度情報(t1)と、第２の温度検知手段３４０からの温度情報(t2)と、画像形成装置本体の電源スイッチがオンされると、画像形成装置本体から送られる起動命令と、画像形成装置本体のコピーボタンがオンされると、画像形成装置本体から送られるコピー命令と、記録紙サイズ情報(W)と設定コピー枚数情報(I)とを取り込んで、テーブル５０３を参照して第１及び第２の加熱駆動手段３１０,３２０を介して第１及び第２のハロゲンヒータランプ２１０,２２０及び冷却駆動手段３６０を介してファン３５０を駆動する制御部である。この制御部５００内には、電源スイッチがオンからの定着を行った記録紙Pを計数するカウンタ５０１が設けられている。
【００３９】
次に、上記構成の定着装置のウォームアップ直後の動作を図５〜図１１を用いて説明する。
先ず、制御部５００の全体の動作を説明するフロー図である図５を用いて、定着装置の全体の動作を説明する。  電源スイッチがオンされると、ウォームアップ制御(ステップ1)がなされ、ウォームアップ直後にコピー命令があると(ステップ2)、ウォームアップ直後定着制御(ステップ3)を行い、コピー命令がない場合には、アイドリング制御(ステップ4)を行いながらコピー命令(ステップ5)を待つ。
【００４０】
アイドリング制御中にコピー命令があると（ステップ5）、定着制御(ステップ6)を行う。
次に、ウォームアップ制御、アイドリング制御、定着制御を説明する。
【００４１】
(ウォームアップ制御)
図３に示す定着装置のウォームアップ制御を説明するフロー図である図６及び図７を用いて説明する。
【００４２】
図６において、(a)図は第１のハロゲンヒータランプのウォームアップ制御を示すフロー図、(b)図は第２のハロゲンヒータランプのウォームアップ制御を示すフロー図、図７はウォームアップ制御の終了判断動作を示すフロー図である。
【００４３】
制御部５００はウォームアップ制御として、図６(a),(b)、図７に示す３つのフローを200msec毎に行っている。
図６(a)に示すフローにおいて、第１の温度検知手段３３０のからの温度情報(t1)を取り込み、加熱ローラ９１の領域L1の温度(t1)と所定温度(T1)との比較を行う(ステップ1)。
【００４４】
加熱ローラ９１の温度(t1)が所定温度(T1)より低ければ、第１のハロゲンヒータランプ２１０の駆動する(ステップ2)。
加熱ローラ９１の温度(t1)が所定温度(T1)以上あれば、第１のハロゲンヒータランプ２１０の駆動を停止し(ステップ3)、ウォーミングアップ(WU)終了フラグ1をオンとする(ステップ4)。
【００４５】
同様に、図６(b)に示すルーチンにおいて、第２の温度検知手段３４０のからの温度情報(t2)を取り込み、加熱ローラ９１の領域L2の温度(t2)と所定温度(T2)との比較を行う(ステップ1)。
【００４６】
加熱ローラ９１の温度(t2)が所定温度(T2)より低ければ、第２のハロゲンヒータランプ２２０の駆動する(ステップ2)。
加熱ローラ９１の温度(t2)が所定温度(T2)以上あれば、第２のハロゲンヒータランプ２２０の駆動を停止し(ステップ3)、ウォーミングアップ(WU)終了フラグ2をオンとする(ステップ4)。
【００４７】
図７に示すフローにおいて、WU終了フラグ1及びWU終了フラグ2が共にオンがどうかを見て(ステップ1)、共にオンになっているならば、WU終了フラグをオンとする(ステップ2)。
【００４８】
(ウォームアップ直後定着制御)
図３に示す定着装置のウォームアップ直後定着制御を説明するフロー図である図８を用いて説明する。
【００４９】
図８において、制御部５００は、カウンタ５０１から電源スイッチがオンからの定着を行った記録紙Pの枚数(カウントC)を読み込む(ステップ1)、さらに、記録紙Pのサイズを読み込む(ステップ2)。
【００５０】
次に、テーブル５０３を参照し、記録紙PのサイズおよびカウントCに対応する領域L1,L2の設定温度を決定し(ステップ3)、ハロゲンヒータランプ制御(ステップ4)を行い、コピー終了までステップ1からステップ4を繰り返す(ステップ5)。
【００５１】
ここで、図９を用いて、ステップ3のハロゲンヒータランプ制御を説明する。
図９において、(a)図は第１のハロゲンヒータランプのハロゲンヒータランプ制御を示すフロー図、(b)図は第２のハロゲンヒータランプのハロゲンヒータランプ制御を示すフロー図である。
【００５２】
制御部５００はハロゲンヒータランプ制御として、図８(a),(b)に示す２つのフローを200msec毎に行っている。
図９(a)に示すフローにおいて、第１の温度検知手段３３０のからの温度情報(t1)を取り込み、加熱ローラ９１の領域L1の温度(t1)と所定温度(T1′)との比較を行う(ステップ1)。
【００５３】
加熱ローラ９１の温度(t1)が所定温度(T1′)より低ければ、第１のハロゲンヒータランプ２１０の駆動する(ステップ2)。
加熱ローラ９１の温度(t1)が所定温度(T1′)以上あれば、第１のハロゲンヒータランプ２１０の駆動を停止する(ステップ3)。
【００５４】
同様に、図９(b)に示すフローにおいて、第２の温度検知手段３４０のからの温度情報(t2)を取り込み、加熱ローラ９１の領域L2の温度(t2)と所定温度(T2′)との比較を行う(ステップ1)。
【００５５】
加熱ローラ９１の温度(t2)が所定温度(T2′)より低ければ、第２のハロゲンヒータランプ２２０の駆動する(ステップ2)。
加熱ローラ９１の温度(t2)が所定温度(T2′)以上あれば、第２のハロゲンヒータランプ２２０の駆動を停止する(ステップ3)。
【００５６】
(アイドリング制御)
図３に示す定着装置のアイドリング制御を説明するフロー図である図１０を用いて説明する。
【００５７】
図１０において、(a)図は第１のハロゲンヒータランプのアイドリング制御を示すフロー図、(b)図は第２のハロゲンヒータランプのアイドリング制御を示すフロー図である。
【００５８】
制御部５００はアイドリング制御として、図１０(a),(b)に示す２つのフローを200msec毎に行っている。
図１０(a)に示すフローにおいて、第１の温度検知手段３３０のからの温度情報(t1)を取り込み、加熱ローラ９１の領域L1の温度(t1)と所定温度(T1″)との比較を行う(ステップ1)。
【００５９】
加熱ローラ９１の温度(t1)が所定温度(T1″)より低ければ、第１のハロゲンヒータランプ２１０の駆動する(ステップ2)。
加熱ローラ９１の温度(t1)が所定温度(T1″)以上あれば、第１のハロゲンヒータランプ２１０の駆動を停止する(ステップ3)。
【００６０】
同様に、図８(b)に示すフローにおいて、第２の温度検知手段３４０のからの温度情報(t2)を取り込み、加熱ローラ９１の領域L2の温度(t2)と所定温度(T2″)との比較を行う(ステップ1)。
【００６１】
加熱ローラ９１の温度(t2)が所定温度(T2″)より低ければ、第２のハロゲンヒータランプ２２０の駆動する(ステップ2)。
加熱ローラ９１の温度(t2)が所定温度(T2″)以上あれば、第２のハロゲンヒータランプ２２０の駆動を停止する(ステップ3)。
【００６２】
(定着制御)
図３に示す定着装置の定着制御を説明するフロー図である図１１〜図１２を用いて説明する。
【００６３】
図１１において、(a)図は第１のハロゲンヒータランプのコピー制御を示すフロー図、(b)図は第２のハロゲンヒータランプのコピー制御を示すフロー図である。また、図１２において、(a)図は冷却ファンの駆動制御を示すフロー図、(b)図は冷却ファンの停止制御を示すフロー図である。
【００６４】
制御部５００は、定着制御として、図１１(a),(b)に示す２つのフローを200msec毎に行っている。
図１１(a)に示すフローにおいて、第１の温度検知手段３３０のからの温度情報(t1)を取り込み、加熱ローラ９１の領域L1の温度(t1)と所定温度(T1′″)との比較を行う(ステップ1)。
【００６５】
加熱ローラ９１の温度(t1)が所定温度(T1′″)より低ければ、第１のハロゲンヒータランプ２１０の駆動する(ステップ2)。
加熱ローラ９１の温度(t1)が所定温度(T1′″)以上あれば、第１のハロゲンヒータランプ２１０の駆動を停止する(ステップ3)。
【００６６】
同様に、図１１(b)に示すフローにおいて、第２の温度検知手段３４０のからの温度情報(t2)を取り込み、加熱ローラ９１の領域L2の温度(t2)と所定温度(T2′″)との比較を行う(ステップ1)。
【００６７】
加熱ローラ９１の温度(t2)が所定温度(T2′″)より低ければ、第２のハロゲンヒータランプ２２０の駆動する(ステップ2)。
加熱ローラ９１の温度(t2)が所定温度(T2′″)以上あれば、第２のハロゲンヒータランプ２２０の駆動を停止する(ステップ3)。
【００６８】
更に、コピー命令があると、制御部５００は図１０(a)のフローを１回実行する。
図１２に示すフローにおいて、制御部５００は、コピー命令があると、記録紙Pのサイズ情報(w)を読み込み(ステップ1)、通紙される記録紙Pのサイズ(w)が予め決められた所定サイズ(W:例えば、B5R)とを比較し(ステップ2)、通紙される記録紙Pのサイズ(w)が予め決められた所定サイズ(W)以下の場合には、ファン３５０を駆動する(ステップ3)。
【００６９】
上記構成によれば、制御部５００は、ウォームアップ直後に定着を行なう場合、図１３に示すように第１および第２の加熱手段の設定温度を通常より高く設定し(A4においては通常の温度が199℃に対して204℃、B5においては通常の温度が194℃に対して204℃、B5Rにおいては通常の温度が194,189℃に対して204℃)、記録紙Pの定着枚数に応じて第１のハロゲンヒータランプ２１０と第２のハロゲンヒータランプ２２０との設定温度を下げるタイミングを変えることにより、図１４に示すように、従来例に比べて、加熱ローラ９１が設定温度より下がりすぎることがなくなり、定着不良が生じない。
【００７０】
また、連続定着を行う場合、記録紙Pのサイズにより定着装置へ供給する間隔が異なる。
すなわち、定着装置に対する供給方向の長さが短い記録紙Pほど定着装置への供給間隔が短く、記録紙Pに奪われる単位時間あたりの熱量が多くなる。
【００７１】
定着枚数に加えて、記録紙Pのサイズに応じて、第１のハロゲンヒータランプ２１０と第２のハロゲンヒータランプ２２０との設定温度を下げるタイミングを変えることにより、さらに加熱ローラ９１が設定温度より下がりすぎることがなくなり、定着不良が生じない。
【００７２】
【発明の効果】
以上述べたように請求項１記載の発明によれば、制御部は、ウォームアップ直後に定着を行う場合、前記第１および第２の加熱手段の設定温度を通常より高く設定し、前記転写材の定着枚数に応じて、前記第１の加熱手段の設定温度と前記第２の加熱手段の設定温度とを独立して異なるタイミングで変えることにより、加熱ローラが設定温度より下がりすぎることがなくなり、定着不良が生じない。
【００７３】
請求項２記載の発明によれば、連続定着を行う場合、転写材のサイズにより定着装置へ供給する間隔が異なる。
すなわち、定着装置に対する供給方向の長さが短い転写材ほど定着装置への供給間隔が短く、転写材に奪われる単位時間あたりの熱量が多くなる。
【００７４】
定着枚数に加えて、転写材のサイズに応じて、前記第１の加熱手段と前記第２の加熱手段との設定温度を下げるタイミングを変えることにより、請求項１記載の発明もさらに加熱ローラが設定温度より下がりすぎることがなくなり、定着不良が生じない。
【図面の簡単な説明】
【図１】本発明の実施の形態例の定着装置の電気的構成を説明するブロック図である。
【図２】本実施の形態例の定着装置が設けられたコピー装置の全体構成を説明する図である。
【図３】図２の定着装置の側面図である。
【図４】図３のX方向矢視図である。
【図５】制御部の全体の動作を説明するフロー図である。
【図６】図３に示す定着装置のウォームアップ制御を説明するフロー図である。
【図７】図３に示す定着装置のウォームアップ制御を説明するフロー図である。
【図８】図３に示す定着装置のウォームアップ直後定着制御を説明するフロー図である。
【図９】図８のステップ3のハロゲンヒータランプ制御を説明するフロー図である。
【図１０】図３に示す定着装置のアイドリング制御を説明するフロー図である。
【図１１】図３に示す定着装置の定着制御を説明するフロー図である。
【図１２】図３に示す定着装置の定着制御を説明するフロー図である。
【図１３】図１のテーブルの内容を説明する図である。
【図１４】従来例と実施の形態例とのウォームアップ直後の定着における加熱ローラの温度推移を示す図である。
【符号の説明】
２１０  第１のハロゲンヒータランプ
２２０  第２のハロゲンヒータランプ
５００  制御部
５０３  テーブル
【図１】
0003945127.tif 000002
【図２】
0003945127.tif 000003
【図３】
0003945127.tif 000004
【図４】
0003945127.tif 000005
【図５】
0003945127.tif 000006
【図６】
0003945127.tif 000007
【図７】
0003945127.tif 000008
【図８】
0003945127.tif 000009
【図９】
0003945127.tif 000010
【図１０】
0003945127.tif 000011
【図１１】
0003945127.tif 000012
【図１２】
0003945127.tif 000013
【図１３】
0003945127.tif 000014
【図１４】
0003945127.tif 000015